(57)【要約】本発明は、不揮発メモリとＳＩＭカードを具備する携帯端末による公衆陸上携帯通信ネットワークの検索の最適化方法に関する。この方法は、ＳＩＭカードに登録された優先度情報に応じてＰＬＭＮを検索する段階と、見つかったＰＬＭＮに対してこのＰＬＭＮに関連付けられた少なくとも１つの特定の無線アクセス技術に関する優先度情報をＳＩＭカードが含むか否かを確認する段階と、含めば、このＰＬＭＮのセルを選択する段階と、含まなければ、ＰＬＭＮの国内において優先的に選択すべき少なくとも１つの特定の無線アクセス技術に関する情報を不揮発メモリが含むか否かを確認する段階と、含めば、特定の無線アクセス技術が展開されているＰＬＭＮのセルを選択する段階と、含まなければ、不揮発メモリ内に一覧化されていない全ての国に対し不揮発メモリ内にデフォルトで予め設定されている無線アクセス技術が展開されるセルを選択する段階とを、有する。【特許請求の範囲】
【請求項１】
少なくとも１つの不揮発メモリと少なくとも１つのＳＩＭカードを有する携帯通信端末による公衆陸上携帯通信ネットワーク（ＰＬＭＮ）の検索の最適化方法であって、
ＳＩＭカードに登録された優先度情報に応じてＰＬＭＮを検索する段階（４）と、
見つかったＰＬＭＮに対して
このＰＬＭＮに関連付けられた少なくとも１つの特定の無線アクセス技術に関する優先度情報をＳＩＭカードが含んでいるかどうかを確認する段階（６、８、１０）と、
含んでいれば（１２、１４、１６）、このＰＬＭＮのセルを選択する段階（２０、２４）と、
含んでいなければ（４０）、前記ＰＬＭＮの国内において優先的に選択すべき少なくとも１つの特定の無線アクセス技術に関する情報を不揮発メモリが含んでいるかどうかを確認する段階（３０）と、
含んでいれば（４２）、前記特定の無線アクセス技術が展開されている前記ＰＬＭＮのセルを選択する段階（４４）と、
含んでいなければ（４６）、不揮発メモリ内に一覧化されていない全ての国に対し不揮発メモリ内にデフォルトであらかじめ設定されている無線アクセス技術が展開されるセルを選択する段階（５０）とを、有する方法。
【請求項２】
前記携帯通信端末が使用される可能性のある国を示す少なくとも１つのコードと、この国内で優先的に検索する少なくとも１つの無線アクセス技術との関連付けを不揮発メモリ内に登録することから成る予備段階を有する請求項１に記載の方法。
【請求項３】
無線アクセス技術と携帯通信端末が使用される国を示すコードとの関連付けが存在しない場合、前記不揮発メモリがデフォルトで検索する無線アクセス技術の情報をさらに有する請求項２に記載の方法。
【請求項４】
前記不揮発メモリの設計の際、通信業者により前記関連付けが前記不揮発メモリ内に登録される請求項２または請求項３に記載の方法。
【請求項５】
前記関連付けが前記不揮発メモリ内にリモートダウンロードされる請求項２または請求項３に記載の方法。
【請求項６】
前記関連付けが前記携帯通信端末のユーザにより再設定可能である請求項２または請求項３に記載の方法。
【請求項７】
前記携帯通信端末がＧＳＭ／ＵＭＴＳマルチモード携帯電話である請求項１から請求項６のいずれか１項に記載の方法。
【請求項８】
不揮発メモリとＳＩＭカードとを具備する携帯通信端末であって、前記不揮発メモリが、前記携帯通信端末が使用される可能性のある国を示す少なくとも１つのコードと、この国内で優先的に検索する少なくとも１つの無線アクセス技術との関連付けを含むリストを有する携帯通信端末。
【請求項９】
さらに、前記リストが、不揮発メモリ内に一覧化されていない国においてデフォルトで検索する無線アクセス技術の情報を有する請求項８に記載の携帯通信端末。
【請求項１０】
前記リストが通信業者または携帯通信端末のユーザにより設定可能である請求項８または請求項９に記載の携帯通信端末。
【発明の詳細な説明】
【技術分野】
【０００１】
本発明の位置付けは通信分野であり、より限定的には、不揮発メモリとＳＩＭ（Subscriber  Identity  Module）カードを具備する携帯端末による公衆陸上携帯通信ネットワーク（ＰＬＭＮ、Public  Land  Mobile  Network）の検索の最適化方法に関する。【０００２】
本発明は、本方法を実施するための手段を含むマルチモード携帯通信端末にも関する。【０００３】
まず各ＰＬＭＮは２つのフィールド、すなわち、ＰＬＭＮの国のＭＣＣコード（携帯国コード、Mobile  Country  Code）を含む第１フィールドと、ある国内のある所与の通信業者のＰＬＭＮに対し、その国内の他の通信業者のＰＬＭＮと区別するために付与されるＭＮＣコード（携帯国内コード、Mobile  National  Code）を含む第２フィールドとから成る識別子を有することに留意されたい。【０００４】
ある所与の国において、同じコードが異なる２つの国によって使用されることを防止するために、ＰＬＭＮは全て、ＩＵＴ（International  Telecommunication  Union）という国際機関により割り当てられた同一のＭＣＣを有する。【０００５】
２つのフィールド、ＭＣＣおよびＭＮＣは、加入者識別コードＩＭＳＩ
（International  Mobile  Subscriber  Identity）の必要不可欠な一部を成している。
【背景技術】
【０００６】
携帯通信端末のユーザが、異なるＰＬＭＮによってカバーされている地理的ゾーン内を移動する際に、現在のネットワーク上で受信できなくなると、携帯通信端末はより良い通信条件を提供する新しいネットワークを検索しなければならない。【０００７】
３ＧＰＰ（３rd  Generation  Partnership  Project）グループの勧告３ＧＰＰ  ＴＳ  ３１．１０２は、単数または複数の無線アクセス技術ＲＡＴ（Radio  Access  Technology）を１つのＰＬＭＮに関連付けることから成る無線アクセス技術ＲＡＴの優先度の構成を提案している。これによれば、携帯通信端末は、ネットワークカバレッジを失う毎に、最も高い優先度を有する無線アクセス技術ＲＡＴに優先度を付与することにより、環境内に存在するネットワークを検索する。ＳＩＭカード内での優先度レベルの設定は通信業者または加入者が行うことができる。通信業者によって設定される無線アクセス技術ＲＡＴが関連付けられているＰＬＭＮはＯＰＬＭＮ（Operator  ＰＬＭＮ）により指定され、ユーザによって設定される無線アクセス技術ＲＡＴが関連付けられているＰＬＭＮはＵＰＬＭＮ（User  ＰＬＭＮ）により指定される。優先度の設定は、携帯通信端末のＳＩＭカードに保存されているリスト内に格納される。【０００８】
上述した背景技術の欠点は、もし端末が、ＳＩＭカードのリスト内に明白に一覧化されていないＰＬＭＮを検索する場合、無線アクセス技術ＲＡＴの選択がランダムに行われ、ローミングの了解および／または資金的収益性に関して、ユーザのニーズに適合しないおよび／または通信業者の特性に適合しない選択が生じる可能性があることに由来するものである。ＳＩＭカード内の優先的ＲＡＴが関連づけられていないＰＬＭＮを携帯通信端末が見つけた場合にもこの状況が生じることがある。【０００９】
本発明の目的は上述した背景技術の欠点を解消することである。【００１０】
本発明の別の目的は、携帯通信端末による通信ネットワークの検索手順の継続時間を短縮することにより、携帯通信端末のバッテリーの消費を制限することである。
【発明の開示】
【００１１】
この目的のため本発明は、携帯通信端末が使用される可能性がある種々の国において使用すべき無線アクセス技術ＲＡＴに関するユーザおよび／または通信業者の好みを考慮するために、不揮発メモリとＳＩＭカードを具備する携帯通信端末による公衆陸上携帯通信ネットワーク（ＰＬＭＮ）の検索を最適化することができる方法を提案する。
【００１２】
この手順は、
ＳＩＭカードに登録された優先度情報に応じてＰＬＭＮを検索する段階と、
見つかったＰＬＭＮに対して
このＰＬＭＮに関連付けられた少なくとも１つの特定の無線アクセス技術に関する優先度情報をＳＩＭカードが含んでいるかどうかを確認する段階と、
含んでいれば、このＰＬＭＮのセルを選択する段階と、
含んでいなければ、ＰＬＭＮの国内において優先的に選択すべき少なくとも１つの特定な無線アクセス技術に関する情報を不揮発メモリが含んでいるかどうかを確認する段階と、
含んでいれば、特定の無線アクセス技術が展開されているＰＬＭＮのセルを選択する段階と、
含んでいなければ、不揮発メモリ内にデフォルトであらかじめ定義されている無線アクセス技術が展開されるセルを選択する段階とを、有する。
【００１３】
本発明による方法は、携帯通信端末が使用される可能性のある国を示す少なくとも１つのコードと、この国内で優先的に検索する少なくとも１つの無線アクセス技術との関連付けを不揮発メモリ内に登録することから成る予備段階を有する。
【００１４】
好ましくは、不揮発メモリは、不揮発メモリ内に一覧化されていない国内でデフォルトで検索する無線アクセス技術の情報をさらに含む。
【００１５】
関連付け情報は、不揮発メモリの設計の際、通信業者により不揮発メモリ内に登録すること、あるいは不揮発メモリ内にリモートダウンロードすることができる。
【００１６】
本発明の別の特徴によれば、関連付け情報は通信業者および／または携帯通信端末のユーザにより再設定可能である。
【００１７】
本発明による方法は、不揮発メモリとＳＩＭカードとを具備するＧＳＭ／ＵＭＴＳマルチモード携帯電話で実施される。
【００１８】
不揮発メモリは、携帯通信端末が使用される可能性のある国を示す少なくとも１つのコードと、この国内で優先的に検索する少なくとも１つの無線アクセス技術との関連付けのリストを含む。
【００１９】
さらにリストは、不揮発メモリ内に一覧化されていない国においてデフォルトで検索すべき無線アクセス技術の情報を有する。
【００２０】
本発明のその他の特徴および利点は、本発明によるＰＬＭＮの検索のフローチャートを示す添付の図面を参照して行う非限定的例として示した以下の説明から明らかになろう。
【図面の簡単な説明】
【００２１】
【図１】図１は本発明によるＰＬＭＮの検索のフローチャートを示す図である。
【発明を実施するための最良の形態】
【００２２】
以下の記述においては、
たとえば加入者が加入を登録した公衆陸上携帯通信ネットワーク（ＧＳＭ(Global  System  for  Mobile  Communications)またはＵＭＴＳ(Universal  Mobile  Telecommunication  Systems)）をＨ−ＰＬＭＮ（Home  ＰＬＭＮ）とし、
ＳＩＭカード内に登録されたユーザによって選択された基準に従って優先的に検索すべきネットワークリストに所属するＰＬＭＮをＵＰＬＭＮ（User  ＰＬＭＮ）とし、
ＳＩＭカード内に登録された通信業者により選択された基準に従って、かつＰＬＭＮ内で実施される無線アクセス技術ＲＡＴにより優先的に検索すべきネットワークリストに所属するＰＬＭＮをＯＰＬＭＮ（Operator  ＰＬＭＮ）とする。【００２３】
さて、携帯通信端末が使用される可能性のある国を示す少なくとも１つのコードと、この国内で優先的に検索する少なくとも１つの無線アクセス技術ＲＡＴとの関連付けを含む不揮発メモリを有するＧＳＭ／ＵＭＴＳマルチモード携帯電話の本方法の実施例において本発明を説明する。この関連付けは国のＭＣＣコードおよびこの国内で携帯通信端末が優先的に検索しなければならない単数または複数の無線アクセス技術ＲＡＴを含むリスト内に登録される。【００２４】
添付の図面は、電源を入れた時、あるいはローミングゾーン内でネットワークカバレッジがなくなった際の、携帯電話によるＰＬＭＮの検索段階を示す。【００２５】
このゾーン内で携帯電話の電源が入れられると（段階２）、物理的レイヤーＬ１、ＡＳ（Access  Stratum）は、隣接セルの周波数のリスト（ＡＲＦＣＮ、Absolute  Radio  Frequency  Number）、ＧＳＭシステム用の隣接セルのビーコン周波数のリストＢＡ＿ＬｉｓｔおよびＵＭＴＳシステム用の隣接セル３Ｇのスクランブルコードの搬送波のリスト３Ｇ_Cell_Reselection−listを走査し（段階４）、その環境内で使用可能なＰＬＭＮのリストを作成する。【００２６】
段階６、８、および１０では、携帯電話は、ユーザまたは通信業者の優先度情報を考慮するために、ＨＰＬＭＮネットワーク、ＵＰＬＭＮネットワーク、またはＯＰＬＭＮネットワークに関する優先度情報をＳＩＭカードが含むかどうか確認する。【００２７】
携帯電話は、そのような優先度情報をＳＩＭカード内で見つけた場合（矢印１２、１４、１６）、さらにＳＩＭカードが、見つけたネットワーク内への無線アクセス技術ＲＡＴに関する優先度情報を含むかどうかを確認する（段階２０）。含む場合（矢印２２）には、携帯電話は優先的ＲＡＴが実施されるセルを選択し、選択したセルに移行する（段階２４）。含まない場合（矢印２６）には、携帯電話は、選択されたＰＬＭＮのＭＣＣコードが不揮発メモリリスト内で優先的ＲＡＴに関連付けられているかどうかを確認する（段階３０）。携帯電話がＨＰＬＭＮ、ＵＰＬＭＮおよびＯＰＬＭＮのうちのいずれかのネットワークに関する優先度情報をＳＩＭカード内に見出さなかった場合（矢印４０）にも段階３０は実行される。【００２８】
選択されたＰＬＭＮのＭＣＣコードが不揮発メモリリスト内で優先的ＲＡＴに関連付けられている場合（矢印４２）、携帯電話は、示された優先的ＲＡＴが展開されるセルを優先的に選択し、選択したセルに移行する（段階４４）。【００２９】
選択されたＰＬＭＮのＭＣＣコードが不揮発メモリリスト内で優先的ＲＡＴに関連付けられていない場合（矢印４６）、携帯電話は、前記リスト内に一覧化されていない全ての国に対しデフォルトで設定された無線アクセス技術ＲＡＴが展開されるセルを選択する（段階５０）。
【図１】
2007026679.tif 000002
【国際調査報告】
2007026679.tif 000003
2007026679.tif 000004
2007026679.tif 000005
2007026679.tif 000006